【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
ハイプライオリティフレームとノーマルプライオリティフレームとにより用いられるチャネルにアクセスするための方法であって、
電力線通信（ＰＬＣ）トランスミッタデバイスにより、
ノーマルプライオリティデータパケットを生成することと、
バックオフ指数値を用いてバックオフ時間を計算することと、
ハイプライオリティコンテンションウィンドウの始めにおいて、前記バックオフ時間遅延することを開始することと、
前記バックオフ時間遅延の後、前記ハイプライオリティコンテンションウィンドウの間に前記チャネルにアクセスするよう試みることと、
を実行することを含む、方法。
【請求項２】
請求項１に記載の方法であって、
前記チャネルがビジーであると判定することと、
前記バックオフ指数値を増分することと、
前記増分されたバックオフ指数値を用いて、更新されたバックオフ時間を計算することと、
前記ハイプライオリティコンテンションウィンドウの始めにおいて、前記増分されたバックオフ時間遅延することを開始することと、
前記増分されたバックオフ時間遅延の後、前記ハイプライオリティコンテンションウィンドウの間に前記チャネルにアクセスするよう試みることと、
を更に含む、方法。
【請求項３】
請求項１に記載の方法であって、
前記チャネルがビジーであると判定することと、
前記初期バックオフ指数値をノーマルプライオリティフレームに対してのみ増分することであって、ハイプライオリティフレームに対して前記初期バックオフ指数値を増分しない、前記増分することと、
前記増分されたバックオフ指数値を用いて、更新されたバックオフ時間を計算することと、
前記ハイプライオリティコンテンションウィンドウの始めにおいて、前記増分されたバックオフ時間遅延することを開始することと、
前記増分されたバックオフ時間遅延の後に前記チャネルにアクセスするよう試みることと、
を更に含む、方法。
【請求項４】
請求項１に記載の方法であって、
前記チャネルがアイドルであると判定することと、
前記ハイプライオリティコンテンションウィンドウの間に前記ノーマルプライオリティデータパケットを伝送することと、
を更に含む、方法。
【請求項５】
請求項２に記載の方法であって、
前記増分されたバックオフ時間の後に前記チャネルがアイドルであると判定することと、
前記ハイプライオリティコンテンションウィンドウの間に前記ノーマルプライオリティデータパケットを伝送することと、
を更に含む、方法。
【請求項６】
請求項１に記載の方法であって、
前記ＰＬＣトランスミッタデバイスに対して前記ハイプライオリティコンテンションウィンドウとノーマルプライオリティコンテンションウィンドウとが同時に開始し、前記ハイプライオリティコンテンションウィンドウと前記ノーマルプライオリティコンテンションウィンドウとが同じ持続時間である、方法。
【請求項７】
請求項１に記載の方法であって、
前記ＰＬＣトランスミッタデバイスに対して前記ハイプライオリティコンテンションウィンドウとノーマルプライオリティコンテンションウィンドウとが同時に開始し、前記ノーマルプライオリティコンテンションウィンドウが前記ハイプライオリティコンテンションウィンドウより長い持続時間を有する、方法。
【請求項８】
ハイプライオリティフレームとノーマルプライオリティフレームとにより用いられるチャネルにアクセスするための方法であって、
電力線通信（ＰＬＣ）トランスミッタデバイスにより、
ハイプライオリティコンテンションウィンドウの間にノーマルプライオリティデータパケットを伝送することと、
前記ノーマルプライオリティデータパケットに対する衝突を検出することと、
前記ノーマルプライオリティデータパケットに対するバックオフ時間を計算することと、
前記ハイプライオリティコンテンションウィンドウの始めにおいて、前記バックオフ時間遅延することを開始することと、
前記バックオフ時間遅延の後に前記チャネルにアクセスするよう試みることと、
を実行することを含む、方法。
【請求項９】
請求項８に記載の方法であって、
前記バックオフ時間遅延の後前記チャネルにアクセスするよう試みることが、前記ハイプライオリティコンテンションウィンドウの間に生じる、方法。
【請求項１０】
請求項８に記載の方法であって、
前記バックオフ時間遅延の後に前記チャネルにアクセスするよう試みることが、ノーマルプライオリティコンテンションウィンドウの間に生じる、方法。
【請求項１１】
請求項８に記載の方法であって、
前記バックオフ時間遅延の後に前記チャネルがアイドルであると判定することと、
前記ハイプライオリティコンテンションウィンドウの間に前記ノーマルプライオリティデータパケットを伝送することと、
を更に含む、方法。
【請求項１２】
請求項８に記載の方法であって、
前記ＰＬＣトランスミッタデバイスに対して前記ハイプライオリティコンテンションウィンドウとノーマルプライオリティコンテンションウィンドウとが同時に開始し、前記ハイプライオリティコンテンションウィンドウと前記ノーマルプライオリティコンテンションウィンドウとが同じ持続時間である、方法。
【請求項１３】
請求項８に記載の方法であって、
前記ＰＬＣトランスミッタデバイスに対して前記ハイプライオリティコンテンションウィンドウとノーマルプライオリティコンテンションウィンドウとが同時に開始し、前記ノーマルプライオリティコンテンションウィンドウが前記ハイプライオリティコンテンションウィンドウより長い持続時間を有する、方法。
【請求項１４】
ＰＬＣネットワークに結合される電力線通信（ＰＬＣ）トランスミッタデバイスを含むシステムであって、
前記ＰＬＣトランスミッタデバイスが、
前記ＰＬＣネットワーク上のアイドルのチャネルを検出するため物理的チャネル感知オペレーションを実行し、
ハイプライオリティコンテンションウィンドウの間に前記チャネルでノーマルプライオリティデータパケットを伝送する、
ように構成される、システム。
【請求項１５】
請求項１４に記載のシステムであって、
前記ＰＬＣトランスミッタデバイスが、
前記ノーマルプライオリティデータパケットに対する衝突を検出し、
前記ノーマルプライオリティデータパケットに対するバックオフ時間を計算し、
前記ハイプライオリティコンテンションウィンドウの始めにおいて、前記バックオフ時間遅延することを開始し、
前記バックオフ時間遅延の後に前記チャネルにアクセスするよう試みる、
ように更に構成される、システム。
【請求項１６】
請求項１５に記載のシステムであって、
前記バックオフ時間遅延の後に前記チャネルにアクセスするよう試みることが、前記ハイプライオリティコンテンションウィンドウの間に生じる、システム。
【請求項１７】
請求項１５に記載のシステムであって、
前記バックオフ時間遅延の後に前記チャネルにアクセスするよう試みることが、ノーマルプライオリティコンテンションウィンドウの間に生じる、システム。
【請求項１８】
請求項１５に記載のシステムであって、
前記ＰＬＣトランスミッタデバイスが、
前記バックオフ時間遅延の後に前記チャネルがアイドルであると判定し、
前記ハイプライオリティコンテンションウィンドウの間に前記ノーマルプライオリティデータパケットを伝送する、
ように更に構成される、システム。
【請求項１９】
請求項１４に記載のシステムであって、
前記ＰＬＣトランスミッタデバイスに対して前記ハイプライオリティコンテンションウィンドウとノーマルプライオリティコンテンションウィンドウとが同時に開始し、前記ハイプライオリティコンテンションウィンドウと前記ノーマルプライオリティコンテンションウィンドウとが同じ持続時間である、システム。
【請求項２０】
請求項１４に記載のシステムであって、
前記ＰＬＣトランスミッタデバイスに対して前記ハイプライオリティコンテンションウィンドウとノーマルプライオリティコンテンションウィンドウとが同時に開始し、前記ノーマルプライオリティコンテンションウィンドウが前記ハイプライオリティコンテンションウィンドウより長い持続時間を有する、システム。
【請求項２１】
電力線通信（ＰＬＣ）トランスミッタデバイスであって、
ＰＬＣネットワーク上のアイドルのチャネルを検出するために物理チャネル感知動作を実行するように構成されるプロセッサと、
ハイプライオリティウィンドウの間に前記チャネル上にノーマルプライオリティデータパケットを送信するトランスミッタと、
を含む、デバイス。
【請求項２２】
請求項２１に記載のデバイスであって、
前記プロセッサが、
前記ノーマルプライオリティデータパケットに対する衝突を検出し、
前記ノーマルプライオリティデータパケットに対するバックオフ時間を計算し、
前記ハイプライオリティコンテンションウィンドウの始めにおいて前記バックオフ時間遅延することを開始し、
前記バックオフ時間遅延の後に前記チャネルにアクセスするように試みる、
ように更に構成される、デバイス。
【請求項２３】
請求項２２に記載のデバイスであって、
前記バックオフ時間遅延の後に前記チャネルにアクセスするように試みることが、前記ハイプライオリティウィンドウの間に生じる、デバイス。
【請求項２４】
請求項２２に記載のデバイスであって、
前記バックオフ時間遅延の後に前記チャネルにアクセスするように試みることが、ノーマルプライオリティウィンドウの間に生じる、デバイス。
【請求項２５】
請求項２２に記載のデバイスであって、
前記プロセッサが、前記バックオフ時間遅延の後に前記チャネルがアイドルかどうかを判断するように更に構成される、デバイス。
【請求項２６】
請求項２１に記載のデバイスであって、
前記ＰＬＣトランスミッタデバイスに対して前記ハイプライオリティコンテンションウィンドウとノーマルプライオリティコンテンションウィンドウとが同時に開始し、前記ハイプライオリティコンテンションウィンドウと前記ノーマルプライオリティコンテンションウィンドウとが同じ継続時間を有する、デバイス。
【請求項２７】
請求項２１に記載のデバイスであって、
前記ＰＬＣトランスミッタデバイスに対して前記ハイプライオリティコンテンションウィンドウとノーマルプライオリティコンテンションウィンドウとが同時に開始し、前記ノーマルプライオリティコンテンションウィンドウが前記ハイプライオリティコンテンションウィンドウよりも長い持続時間を有する、デバイス。